(57)【特許請求の範囲】
【請求項１】
自然乾燥、又は４５℃以下で乾燥された杉材を用いて、杉材の赤芯部及び黒芯部ならびに白木の部分を活用した木工製品の装飾品であり、前記杉材の木工製品の装飾品と組み合わせて使用する編み込みの紐の素材は、絹糸であり、麻糸であり、綿糸であり、竹糸であり、モリンガ糸であり、和紙糸であり、前記編み込み紐の素材の何れかを用いるのであり、前記編み込みの紐の撚り糸は１本とし、前記編み込み紐の撚り糸を用いた編み込みは２本以上とし、右回りのらせん回転で遺伝子のゲノム塩基と同じ形状での編み込みとし、前記編み糸と前記杉材の木工製品を組み合わせたことを特徴とするヒトが身に付けることで体内の生体液が還元作用を示す、右回りの螺旋回転の編み糸と前記杉材の木工製品を組み合わせた身飾り品の制作およびその利用方法。
【請求項２】
前記編み込みの紐の撚り糸を用いた編み込みは、右回りのらせん回転での編み込み２本以上とし、前記編み込み紐の撚り糸を用いた編み込みは、編み込み方向に向かってゲノム形状の右回りのらせん回転形状としたことを特徴とする請求項１に記載の前記杉材の木工製品の身飾り品の制作およびその利用方法。
【請求項３】
前記編み糸と前記杉材の木工製品を組み合わせた、前記杉材の木工製品を組み合わせた身飾り品に用いるアクセサリーは、ペンダント、ネックレス、バレッタ、ブローチ、ブレスレット、ボンネットピン、ネクタイピン、メダル、ストラップ、指輪、足輪、首飾り、ボウタイ、キーホルダー、髪留め、衣類に装着するボタン、飲料水のボトル容器に掛ける名札、コーヒーおよび紅茶などを飲むカップの持ち手部分に掛ける名札、マグカップの持ち手部分に掛ける名札、犬猫および多種の動物の首輪に掛ける名札、携帯電話機器に付けるストラップ、出産時の赤ちゃんの足首に掛ける名札、乳幼児、幼稚園児、小学生の首、又は足首に掛ける名札、企業の職場内の社員や外来者が首元に掛ける名札とすることを特徴とする請求項１、又は２に記載の前記杉材の木製の身飾り品の制作およびその利用方法。
【発明の詳細な説明】
【技術分野】
【０００１】  本発明は、少なくとも自然乾燥、又は４５℃以下で乾燥された杉材を用いて、杉材の赤芯部及び黒芯部ならびに白木の部分を活用した木工製品の装飾品であり、これらと組み合わせて使用する編み込みの紐の素材は、絹糸であり、麻糸であり、綿糸であり、竹糸であり、モリンガ糸であり、和紙糸であり、これらの糸の編み込みは撚り糸は１本、編み込みの場合は２本以上であり、編み込み本数は限定されず、全ての編み込みは、編み込み方向に向かって右回りのらせん回転形状とした紐である木工製品をヒトが身に付ける使用により体内の生体液が還元作用を示す木製の身飾り品の各種アクセサリー製品制作およびその利用方法に関する。【０００２】  従来の木工製品は見た目の形状や色、生産効率を優先した加工製品は主体である。【０００３】  本発明では、木工製品をヒトが身に付ける使用により体内の生体液が還元作用を示す木工製品の装飾品とすることが特徴であり、収納された容器に付帯させる木工製品の装飾品とすることである。
【背景技術】
【０００４】  従来においての木工製品は、木材を加工して容器等の木工製品を製造する際は、木工製品のくるいを防止し、均一な製品を得るために、十分に乾燥された木材が用いられていた。近年多様な木工製品づくりとして、完全に乾燥されていない生乾燥木材を加工し、人工的に木材に急激な高温乾燥は杉材の幹の中心部に発生する黒芯、又は赤芯部分および枝を付けた節目の部分に温存された酵素が失われるのである。【０００５】  なぜなら、前述の方法での木工製品の装飾品では、本発明が意図とする木工製品をヒトが身に付ける使用により体内の生体液が還元作用を示す木工製品の装飾品とすることは出来ないのである。【０００６】  生産効率および変形を与える見た目の面白さに視点をおいた木材に急激な高温乾燥は杉材の幹の中心部に発生する黒芯、又は赤芯部分および枝を付けた節目の部分に黒芯ならびに赤芯が存在する酵素を失うのである。これらの酵素を温存した部分を活用して、枝の節目や年輪紋様および赤芯部ならびに黒芯部の固さに添って機械研磨、又は微細な最終仕上げの手作業研磨により、二つとない木工製品を作り出せ、ヒトが身に付ける使用により体内の生体液が還元作用を示す木製の身飾り品の各種アクセサリー製品およびその利用方法とすることができることに着眼したのである。
【先行技術文献】
【特許文献】
【０００７】  日本の特許文献１、本来一様の製品を製造するために乾燥された木材が用いられていたものに対し、未乾燥の木材を用いて木工製品を製造するようにしている。すなわち、本発明に係る木工製品は、未乾燥の状態で所定の形状に加工された後、急激な乾燥によって個別の変形が発生していることを特徴とした加工方法を提供している。【０００８】  日本の特許文献２、厳しい自然環境の下に３００年以上の樹齢を重ね、その長い年月によって育まれた巨木にしか得ることのできない極めて密に並ぶ年輪の美しさをそのまま活かすことができると共に、経済的に生産可能なものとし、大型化せずにコンパクト且つ高品質な土産品とすることができる新たな木工製品加工技術を提供している。【０００９】  前記特許文献１においては未乾燥の状態で所定の形状に加工された後、急激な乾燥によって個別の変形が発生していることを提供しているものであり、特許文献２は、長い年月によって育まれた巨木にしか得ることのできない極めて密に並ぶ年輪の美しさをそのまま活かすことができると共に、経済的に生産可能なものとし、大型化せずにコンパクト且つ高品質な土産品とすることができる新たな木工製品加工技術を提供しているものであり、木工製品をヒトが身に付ける装飾品の使用、又は各種食材容器ならびに食糧品収納容器に付帯することで、これらを体内摂取および皮膚に触れることで、体内の生体液が還元作用を示す木製の身飾り品の各種アクセサリー製品制作およびその利用方法とすることを特徴とする発想が無く本発明とは技術的意図を異にする。【００１０】
【特許文献１】特許第２６３５４９９号
【特許文献２】特開２０１４−８７５０号
【発明の概要】
【発明が解決しようする課題】
【００１１】  従来のような木工製品は見た目の形状や色、生産効率を優先した加工製品製品は主体である。これらの木工製品にとどまらず木工製品の装飾品を身に付ける、又は食材の収納容器に付帯することで、これらの使用により体感、又は容器に充填された食材を摂取した後、体内の生体液が還元作用を示す木工製品の装飾品とすることに注視したのである。
【課題を解決するための手段】
【００１２】  その手段について述べる。自然乾燥、又は４５℃以下で乾燥された杉材を用いて、杉材の赤芯部及び黒芯部ならびに白木の部分を活用した木工製品の装飾品であり、これらと組み合わせて使用する編み込みの紐の素材は、絹糸であり、麻糸であり、綿糸であり、竹糸であり、モリンガ糸であり、和紙糸であり、これらの糸の編み込みは撚り糸は１本、編み込みの場合は２本以上であり、編み込み本数は限定されず、全ての編み込みは、編み込み方向に向かって右回りのらせん回転形状とした紐である木工製品をヒトが身に付ける使用により体内の生体液が還元作用を示す木製の身飾り品の各種アクセサリー製品とするのである。
【００１３】  さらに、自然乾燥、又は４５℃以下で乾燥された檜であり、欅であり、楠であり、イチョウであり、きりであり、赤松であり、ヒバなど各種木材を用いて、木材の年輪紋様を活用した木工製品の装飾品であり、これらと組み合わせて使用する編み込みの紐の素材は、絹糸であり、麻糸であり、綿糸であり、竹糸であり、モリンガ糸であり、和紙糸であり、これらの糸の編み込みは撚り糸は１本、編み込みの場合は２本以上であり、編み込み本数は限定されず、全ての編み込みは編み込み方向に向かって右回りのらせん回転形状とした紐である木工製品をヒトが身に付ける使用により体内の生体液が還元作用を示す木製の身飾り品の各種アクセサリー製品とするのである。
【００１４】  そして、木工製品の装飾品に使用する編み込みの紐の長さ調整は、木工製品の装飾品と編み紐の左右への引っ張り調整できるようにすることで、人間や動物の肌に金属使用による体内負荷を与えないようにしたのである。
【００１５】  本発明では、編み込みの紐の素材は、絹糸であり、麻糸であり、綿糸であり、竹糸であり、モリンガ糸であり、和紙糸であり、これらの糸の編み込みは、編み込み方向にむかって右回り（時計回りの）螺旋回転で撚りをかけていくことで体内への還元作用が期待できると考えたのであり、本発明の重要な着眼点である。
【００１６】  それは、杉材の黒芯および赤芯で作られた装飾品を身に付けたビフォーアフターのヒト唾液ＯＲＰ測定で、生体に心地よい還元作用をもたらすことを本発明者は医療機器であるヒト唾液ＯＲＯ測定装置を用いて発見したのである。さらに、編み込みの紐の素材は、絹糸であり、麻糸であり、綿糸であり、竹糸であり、モリンガ糸であり、和紙糸で編み込んだ紐を身に付けたビフォーアフターのヒト唾液ＯＲＰ測定で、生体に心地よい還元作用をもたらすことを本発明者は医療機器であるヒト唾液ＯＲＯ測定装置を用いて発見したのである。
【００１７】  そして、右回りのらせん回転が体内を還元させることを立証するために、横浜・岡沢クリニック院長岡澤美江子医師との共同研究で、医療機器であるヒト唾液ＯＲＯ測定装置を用いて、唾液臨床で慢性疾患は沖縄沖で左回りの低気圧、又は台風が発生すると関節痛、めまい、倦怠感、頭痛を訴え、横浜接近により、さらに症状の訴えが強くなるのである。反対に右回りの高気圧の青空の天候では、これらの症状は訴えないのである。台風の接近時は、電磁波過敏症の患者も、体調不良、倦怠感を強く訴えるのである。これは、低気圧は左回りの自然浄化の強烈なエネルギーを伴う回転方向であり、生体内のヒト唾液ＯＲＰ唾液測定では体内負荷をもたらす強いＯＲＰ値を示したのである。反面、高気圧は穏やかな還元作用をもたらす右回りの回転であり、高気圧発生現象のとき、生体内のヒト唾液ＯＲＰ唾液測定で、同じ被験者である慢性疾患者は還元方向の良好なＯＲＰ数値を示すのである。ここで述べるＯＲＰとは酸化還元電位のことであり、Ｏｘｉｄａｔｉｏｎ  ＆  Ｒｅｄｕｃｔｉｏｎ  Ｐｏｔｅｎｔｉａｌの略称である。
【００１８】  ちなみに、自然摂理の現象では、河川の流れ、生体の血液の血管内の血液の流れ、地球自転、高気圧、樹木やツル植物（一部例外的な植物もある）の伸びる方向に向かって右回りのらせん回転で成長している現象。この右回りのらせん回転が河川の水温を一定温度に保ち、体温を一定温度に保つ事に起因していると考える。スポーツにおけるトラック競技は、タイムや成績を伸ばす競技は、左回りであり、円盤投げ、砲丸投げなど、左回り回転でエネルギーを加速させて投てきすることでより良い結果が出ることを示唆しているのである。
【００１９】  よって、編み込み糸は、編み込み方向にむかって右回り（時計回りの）螺旋回転で撚りをかけていくことで体内への還元作用が期待できると考えたのである。
【００２０】    上記目的を達成するために、本発明は（［請求項１］の構成要件）とで、木工製品である装飾品と編み紐の応用は、ネックレス製品であり、腕輪製品であり、首飾り製品であり、髪留め製品であり、ペンダント製品であり、バレッタ製品であり、足輪製品であり、各種飲料水および農産品加工ジュースのボトル容器に掛ける首掛け製品であり、各種アルコール飲料のボトル容器に掛ける首掛け製品であり、コーヒーおよび紅茶などを飲む持ち手部分に掛ける製品であり、マグカップの持ち手部分に掛ける製品であり、犬猫および多種の動物の首輪に掛ける製品であり、水道水の蛇口部分に掛ける製品であり、携帯電話機器にストラップとして付帯する製品であり、各種加工飲料水の容器に付帯するストラップ製品であり、各種イベントのノベルティ製品であり、口紅組成物の口紅、又はリップクリームならびに保湿クリームや化粧水を含む、各種化粧品の収納容器に付帯する製品であり、備蓄食料の各種の収納容器に付帯する製品であり、各種洗剤容器に付帯する製品であり、各種アニメキャラクターに付帯する製品等の活用を構成している。
【発明の効果】
【００２１】  以上の説明から明らかなように、本発明にあっては次に列挙する効果が得られる。
（１）（［請求項１］の構成要件）とで構成されているので、厚生労働省から医療機器として認証されているヒト唾液の酸化還元電位（ＯＲＰ）測定手段を用いて、本発明の木工製品をヒトが身に付ける使用により着用した前後の有効性を証明するために、酸化方向に作用するのか、又は還元方向にする作用するのかの証明につながるようにしたのである。
【００２２】  （２）前記（１）によって、自然界の有効性における客観的な数値化が困難なことから、化学的に数値化されない自然界の優れた有効性に懐疑的な判断をする人々が多いのが現状である。この問題は、ヒト唾液の酸化還元電位（ＯＲＰ）測定手段を用いて、各種テーマの自然界の有効性を数値化証明する装置と活用方法によって、懐疑的な判断を払拭する数値化証明となるのである。
【００２３】  なぜなら、本発明に用いる数値化証明する手段である酸化還元電位指標は、人間の生体液である唾液は、電子レベルでの酸化体と還元体の電子の授受であり、電子の流れは、電流の流れと電子の流れは逆であり、電流は正極（プラス）から負極（マイナス）への流れですが、電子の流れは負極（マイナス）から正極（プラス）となり、すなわち、マイナス電子を奪われ酸化することを意味するのである。このことから、負極（マイナス）電子が放出（奪われた）場合は酸化反応であり、反対に起こっている正極（プラス）が負極（マイナス）電子を受け取る場合は還元反応なのである。人間の体は、常に負極（マイナス）電子が奪われる自然摂理で構成され、酸化反応をいかに抑えるかが健康で生きるための大切な要件である。
【００２４】  よって、生体液である唾液の酸化還元反応を、ヒト唾液の酸化還元電位（ＯＲＰ）測定手段を用いて、各種テーマの自然界の有効性を数値化証明する装置と活用方法によって、懐疑的な判断を払拭する数値化証明となり、本発明の体内の生体液が還元作用を示す木工製品である装飾品の特性が期待できるのである。
【００２５】  本発明の有効性を客観的に証明するための手段として、ヒト唾液の酸化還元電位（ＯＲＰ）測定手段としたのは、本発明者が取得している特許４１５４８８４号に酸化還元測定装置に基づき、横浜、金沢文庫の小児・内科院長である岡澤美江子医師ＭＤの協力のもとに、体内負荷のヒト唾液ＯＲＰ臨床で数値化できる測定装置を活用することで、本発明の体内の生体液が還元作用を示す木工製品である装飾品の特性をヒト唾液ＯＲＰ臨床によって、体内が酸化有意、又は還元有意かの確認で本発明の有効性を証明できるようにすることである。
【００２６】  （３）請求項１至る請求項５も前記（１）〜（２）と同様な本発明である自然界で長い年月を経て淘汰され、有用なものとし継承されてきている各種テーマの自然界の抗酸化作用の有効性を数値化証明する装置の活用方法によって具体的に数値化判定することで本発明の有効性を化学的検地からの証明につながるようにしたのである。
【図面の簡単な説明】
【００２７】
【図１】本発明の図１は杉材を丸く加工し研磨した木工製品を右回りのらせん回転で編み込んだ麻ひもを使用してワインボトルの首に掛けた状態の表面図である。
【図２】本発明の図２は図１を裏側から見た図である。
【図３】本発明の図３は木材加工のネックレスの紐の長さを左右の紐を外側に引っ張って調整する一例図である。
【図４】本発明の図４は髪の毛を束ねる木材加工図である。
【図５】本発明の図５は化粧液の瓶に本発明の製品をかけて活用している図である。
【図６】本発明の図６は木材加工製品を、化粧クリームがチューブに充填された容器に活用している図である。
【図７】本発明の図７は木材加工のネックレスの紐の長さを左右２本の紐を引っ張って調整する一例図である。
【図８】本発明における図は木材加工製品であるアクセサリーを首に掛けたワインボトルと掛けないワインとの活用一例図である。
【発明を実施するための形態】
【００２８】  図１至る図７は、本発明の木材加工製品と編み込みする方向に向かって右回りのらせん回転で遺伝子のゲノム塩基と同じ形状での編み込みを示す図である。
【実施例】
【００２９】  図１について説明する。１は杉材を丸く加工し研磨した木工製品を右回りのらせん回転で編み込んだ麻ひもを使用してワインボトルの首に掛けた状態の表面図であり、２はワインボトルの長い首部分、３は麻で編み込んだ右回りのらせん回転の編み紐で、４の木材加工に編み紐を通す穴をあけで紐をとおしてワインボトルの首に掛けた正面から見た一例図。図２ついて説明する。５は図１を裏側から見た図であり、６は裏面から見た瓶の長い首部分、７は木材加工の小さい丸形状、又は楕円形状で形状および形状の大小は限定しないのであり、８は７の木材加工の穴を通して２本の紐を引っ張るか、又は木材加工の小さい丸形状、又は楕円形状７を移動させることで紐の長さを調節するようにし、金属素材を使用しないことで、金属アレルギーが起こらないようにしている。９はワインのラベル表示部分。図３について、１０は木材加工のネックレスの紐の長さを調整する一例図であり、１１の紐は長さ調整する２本のうちの１本の紐であり、１３の木材加工に編み紐を通す穴をあけで紐をとおして１２のもう片方の紐とで１３の木材加工部分を中心に外側に引っ張ることで輪が小さくなり、１３の部分をもって１４の小さい数珠玉と紐を左右両方とも外側に引くことで輪を大きくすることができ、金属は一切使用していないのが特徴である。【００３０】  さらに、図４について説明する。１５は髪の毛を束ねる木材加工製品であり、結び目部分で平たい形状の麻の生地の紐１６であり、１７および１８とも麻の生地ひもである。１９は本発明の木材加工製品の一つであり、その中心部に２つの穴をあけ紐を通して髪結いの輪を形成している。図５においては、２０は化粧液の瓶に本発明の製品をかけて活用している図であり、２１は化粧液のキャップであり、２２は木材加工製品を輪にして瓶にかけている紐であり、２３は本発明の木材加工製品である。２４は化粧液の瓶を正面から見た図である。【００３１】  図６の２５は、同じく本発明の木材加工製品を、化粧クリームがチューブに充填された容器に活用している図であり、２６は、保護キャップ、２７は本製品とセットになっている麻ひもを輪にしてチューブに掛けているのである、２８は、本発明の木材加工製品であり、２９は２８の木材加工製品に小さい穴を２つ開けて紐を通して輪の長さ調整が出来るようにしている。３０は化粧クリームのチューブ本体である。本発明の図７の３１は木材加工のネックレスの紐の長さを左右２本の紐を引っ張って調整する一例図である３３と３４の編みひもを３２の木材加工の丸加工に穴を通して引っ張る、又は押し戻しにより紐の長さを調節できるようにし、３５、又は３６を３２を抑えた状態で引っ張ることでネックレスの紐の輪の大小、すなわち長さ調節できるのであり、３７は本発明の木材加工製品としている。これらの図にとどまることなく請求項４に記載のとおり、各種のアクセサリーへの創作を可能とするものであり、本明細書に記載は、その中からの一例図である。【００３２】  本発明における図８に示したとおり、本発明の木材加工製品であるアクセサリーを首に掛けたワインボトルと掛けないワインとで、日本の厚生省認可のヒト唾液ＯＲＰ測定装置により、６名のモニター者でＡ群とＢ群���ビフォーアフター検証した結果を表１に示した。【００３３】  次の表１で示す通り、検証はメルシャンワイン株式会社の販売製品である原産国チリの果実酒「赤ワイン」である同じ銘柄の赤ワイン２本を用いて、本発明の木材加工製品であるアクセサリーを一首に掛けたワインボトルと掛けないワインとでは、本発明の木材加工製品であるアクセサリーを首に掛けたワインボトルは、赤ワイン原液を飲んだ後のヒト唾液ＯＲＰは、明確に還元作用を示したのである。よって、Ａ群の６人のモニター者が、還元作用の酸化還元電（ｍＶ）の数値に差があるものの、Ｂ群のモニター者とは、明らかな還元作用の違いが見られ、６人の性別、年齢が異なる検証モニターが、たまたまＡ群の６人のモニター者が偶然に還元作用が強く見られたとは言えず、赤ワインの原液も、同じ赤ワインであるのに原液の酸化還元電位（ｍＶ）においてもＡ群に用いた赤ワインの原液は１０８ｍＶであるのに対しＢ群に用いた赤ワインの原液は１２３ｍＶを示したのである。本発明の木製のアクセサリー製品は、各種飲料および製品を還元作用に導く効果が期待できることを示したのである。
【表１】
0006342878.tif 000002
【００３４】  次の表２で示す通り、検証は本発明の杉材アクセサリーを掛ける前と掛けた後のヒト唾液ＯＲＰの測定結果を示したものであり、本発明のアクセサリーを身に付ける前と付けた後でのヒト唾液ＯＲＰは、明らかにアフターは飲食摂取、マッサージやメンタル面でのケァーを受けていないのに、２０〜６０代の被験者の唾液は還元方向を示したのである。表１のワイン摂取前後のヒト唾液ＯＲＰ経時変化ならびに、表２の杉材アクセサリーを掛ける前と掛けた後における経時変化は、生体に還元作用を示したことは明らかである。よって、表１、表２のヒト唾液ＯＲＰの経時変化が偶然に還元作用を示したものではなく、本発明の杉材アクセサリーが単なる身飾り品とするアクセサリーだけにとどまらず、生体に還元作用を示すものであることが明らかである。
【表２】
0006342878.tif 000003
【符号の説明】
【００３４】１  杉材を丸く加工し研磨した木工製品を右回りのらせん回転で編み込んだ麻ひもを使用してワインボトルの首に掛けた状態の表面図。
２  ワインボトルの長い首部分。
３  麻で編み込んだ右回りのらせん回転の編みひも。
４  木材加工に編み紐を通す穴をあけで紐をとおしてワインボトルの首に掛けた正面から見た一例図
５  図１を裏側から見た図。
６  裏面から見た瓶の長い首部分。
７  木材加工の小さい丸形状、又はた楕円形状で形状および形状の大小は限定しない
８  ７の木材加工の穴を通して２本の紐を引っ張るか、又は木材加工の小さい丸形状、又は楕円形状７を移動させることで紐の長さを調節するようにする図。
９  ワインの裏面に貼られたラベル表示部分。
１０  木材加工のネックレスの紐の長さを調整する一例図。
１１  紐は長さ調整する２本のうちの１本の紐。
１２  もう片方の紐。
１３  木材加工に編み紐を通す穴をあけで紐をとおす。
１４  小さい数珠玉と紐。
１５  髪の毛を束ねる木材加工製品。
１６  結び目部分で平たい形状の麻の生地の紐。
１７  麻の生地の紐。
１８  麻の生地の紐。
１９  本発明の木材加工製品の一つ。
２０  化粧液の瓶に本発明の製品をかけて活用している図。
２１  化粧液のキャップ。
２２  木材加工製品を輪にして瓶にかけている紐。
２３  本発明の木材加工製品。
２４  化粧液の瓶を正面から見た図。
２５  本発明の木材加工製品を、化粧クリームがチューブに充填された容器に活用している図。
２６  保護キャップ。
２７  本製品とセットになっている麻ひもを輪にしてチューブに掛けているの図。
２８  発明の木材加工製品。
２９  ２８の木材加工製品に小さい穴を２つ開けて紐を通して輪の長さ調整が出来るようにしている図。
３０  化粧クリームのチューブ本体。
３１  ３１は木材加工のネックレスの紐の長さを左右２本の紐を引っ張って調整する一例図。
３２  木材加工の丸加工に穴を通して引っ張る、又は押し戻しにより紐の長さを調節できるようにしている図。
３３  編み紐。
３４  編み紐。
３５  紐の長さを調節できるようにした紐。
３６  紐の長さを調節できるようにした紐。
３７  本発明の木材加工製品。
【図１】
0006342878.tif 000004
【図２】
0006342878.tif 000005
【図３】
0006342878.tif 000006
【図４】
0006342878.tif 000007
【図５】
0006342878.tif 000008
【図６】
0006342878.tif 000009
【図７】
0006342878.tif 000010
【図８】
0006342878.tif 000011